(57)【要約】【課題】再生中継型の地上中継装置での再生中継時、通信衛星からの受信信号の劣化要因によって放送受信装置への送信信号の質が低下することを防止する。【解決手段】ギャップフィラー局３０Ａにおいて、通信衛星２０から受信アンテナ３１を介して受信した信号（ＴＤＭ信号）を復調して再生データを生成するＴＤＭ復調部３２と、放送受信装置への送信信号（ＣＤＭ信号）を生成するＣＤＭ変調部３４の間にバッファ３３を設ける。ＴＤＭ復調部３２で生成された再生データをバッファ３３に記憶し、制御部４０が、クロック抽出部３８によりＧＰＳ情報から抽出されたクロック信号を用いてバッファ３３から再生データを読み出し、ＣＤＭ変調部３４でこの再生データから上記送信信号を生成するように制御する。【選択図】  図３
2004312349.tif 000002
【特許請求の範囲】
【請求項１】
放送送信局から送信される放送番組情報を通信衛星を介して受信再生し、該再生信号から新たに送信信号を生成して地上を移動可能な放送受信装置に配信する再生中継型の地上中継装置を有する衛星移動体放送システムにおいて、
前記地上中継装置は、
前記再生信号を記憶する記憶手段と、
ＧＰＳ情報を受信するＧＰＳ受信手段と、
前記記憶手段に記憶された前記再生信号から前記送信信号を生成する処理を前記ＧＰＳ情報を用いて行なうように制御する制御手段と
を具備することを特徴とする衛星移動体放送システム。
【請求項２】
前記地上中継装置は、
前記ＧＰＳ受信手段により受信されたＧＰＳ情報からクロック信号を抽出するクロック抽出手段
を具備し、
前記制御手段は、
前記クロック抽出手段により抽出されたクロック信号を用いて前記記憶手段から前記再生信号を読み出し、該再生信号から前記送信信号を生成する制御を行なう
ことを特徴とする請求項１記載の衛星移動体放送システム。
【請求項３】
前記地上中継装置は、
前記ＧＰＳ受信手段により受信されたＧＰＳ情報からクロック信号を抽出するクロック抽出手段と、
前記ＧＰＳ受信手段により受信されたＧＰＳ情報からキャリア信号を抽出するキャリア抽出手段と
を具備し、
前記制御手段は、
前記クロック抽出手段により抽出されたクロック信号を用いて前記記憶手段から前記再生信号を読み出し、該再生信号から前記キャリア抽出手段により抽出されたキャリア信号を用いて前記送信信号を生成する制御を行なう
ことを特徴とする請求項１記載の衛星移動体放送システム。
【請求項４】
放送送信局、通信衛星、及び地上を移動可能な放送受信装置と共に衛星移動体放送システムを構成し、前記放送送信局から送信される放送番組情報を前記通信衛星経由で受信して再生し、該再生信号から新たに送信信号を生成して前記放送受信装置に配信する再生中継型の地上中継装置において、
前記再生信号を記憶する記憶手段と、
ＧＰＳ情報を受信するＧＰＳ受信手段と、
前記記憶手段に記憶された前記再生信号から前記送信信号を生成する処理を前記ＧＰＳ情報を用いて行なうように制御する制御手段と
を具備することを特徴とする地上中継装置。
【請求項５】
前記ＧＰＳ受信手段により受信されたＧＰＳ情報からクロック信号を抽出するクロック抽出手段
を具備し、
前記制御手段は、
前記クロック抽出手段により抽出されたクロック信号を用いて前記記憶手段から前記再生信号を読み出し、該再生信号から前記送信信号を生成する制御を行なう
ことを特徴とする請求項４記載の地上中継装置。
【請求項６】
前記ＧＰＳ受信手段により受信されたＧＰＳ情報からクロック信号を抽出するクロック抽出手段と、
前記ＧＰＳ受信手段により受信されたＧＰＳ情報からキャリア信号を抽出するキャリア抽出手段と
を具備し、
前記制御手段は、
前記クロック抽出手段により抽出されたクロック信号を用いて前記記憶手段から前記再生信号を読み出し、該再生信号から前記キャリア抽出手段により抽出されたキャリア信号を用いて前記送信信号を生成する制御を行なう
ことを特徴とする請求項４記載の地上中継装置。
【発明の詳細な説明】
【０００１】
【発明の属する技術分野】
本発明は、放送送信局から送信される放送番組情報を通信衛星を介して地上中継装置に送り、更に地上中継装置から地上を移動可能な放送受信装置に対して配信することで通信衛星から放送番組情報を直接受信できない不感エリアを解消する衛星移動体放送システム及び該システムに用いる地上中継装置に係わり、詳しくは、地上中継装置と放送受信装置間の回線品質を高めるための地上中継装置での信号処理回路の改良に関する。
【０００２】
【従来の技術】
車両に搭載されるなどにより地上を移動可能な放送受信装置に対して通信衛星を利用して各種番組情報を配信する衛星移動体放送システムとして、ギャップフィラー技術を用いたギャップフィラー放送システムが知られている。
【０００３】
ギャップフィラー放送システムは、ビルの屋上等、通信衛星からの見通しが利く場所にギャップフィラー局（地上中継装置）を設置し、放送送信局から送信される放送番組情報を通信衛星を介してギャップフィラー局に送り、更にギャップフィラー局から地上を移動可能な放送受信装置に対して配信することにより、通信衛星から放送番組情報を直接受信できない不感エリアを解消するものである。
【０００４】
このギャップフィラー放送システムの一つとして、放送送信局から複数の放送番組情報を例えばＫｕ帯（１４ＧＨｚ帯）の周波数を用いてＣＤＭ（Ｃｏｄｅ  Ｄｅｖｉｓｉｏｎ  Ｍｕｌｔｉｐｌｅ）方式で多重して衛星経由で各ギャップフィラー局に配信し、ギャップフィラー局では受信したＫｕ帯から周波数変換により２．６ＧＨｚ帯のＣＤＭ信号に変換して地上の放送受信装置に送出する周波数変換型ギャップフィラーシステムがある。
【０００５】
ところで、ビル等の高層の建物が多い都市内の環境において、広帯域の多重伝送を行なう場合、多数の反射波及び回折波により地上の放送受信装置の入力としては、振幅、位相、遅延時間の異なった多くの波が入力されることになる。
【０００６】
従って、放送受信装置はその多数の波を復調するためにいろいろな工夫を採用して伝送品質の向上を図っているが、ギャップフィラー局から送信される送信信号の質〔Ｃ／Ｎ（Ｃａｒｒｉｅｒ  ｔｏ  Ｎｏｉｓｅ  ｒａｔｉｏ）比、変調精度他〕の劣化が多重波受信特性の劣化に繋がることが分かっている。
【０００７】
例えば、周波数変換方式においては、衛星回線でのＣ／Ｎの劣化がギャップフィラー局の復調信号に現れ、更に、ギャップフィラー局でその復調信号を周波数変換して送信信号として送信する際に該送信信号のＣ／Ｎの低下として現われ、放送受信装置での受信品質を低下させることになる。
【０００８】
この点に鑑み、周波数変換方式のギャップフィラーシステムでは、放送受信装置のみならず、ギャップフィラー局においても伝送品質の向上を図る工夫が従来から種々提案されている。
【０００９】
例えば、下記特許文献１では、その明細書の段落００８７に記載されるように、ギャップフィラー装置を、発振回路５２，５２´から出力される基準信号Ｆｒｅｆの周波数が、ＧＰＳ衛星からの電波に含まれているクロック信号（ＧＰＳクロック）によって補正されるような構成とし、より正確な周波数変換が行なえるようにしている。
【００１０】
また、下記特許文献２では、その明細書の段落００５２に記載されるように、ギャップフィラー４０側に受信端末８０と同様な信号処理部８５，メモリ８６，計時部８８等を設け、通信衛星中継器３０からの受信信号を一旦復調してメモリ８６に記憶しておき、復調した情報から再生時刻のタイムスタンプを取り出し、計時部８８が計時した時刻と再生時刻とが一致した時にメモリ８６の内容を読み出して放送する対策が講じられている。
【００１１】
しかしながら、これら特許文献１，２は、いずれも周波数変換方式のシステムであるため、上記各対策を施したとしても、周波数変換方式の特質である、“衛星回線でのＣ／Ｎの劣化がギャップフィラー局の復調信号に現れ、更に、ギャップフィラー局でその復調信号を周波数変換して送信信号として送信する際に該送信信号のＣ／Ｎの低下として現われ、移動型受信装置での受信品質を低下させる”点を根本的に解消し得なかった。
【００１２】
そこで、この周波数変換方式の弱点を克服するための対策として、図５に示すような、再生中継型のギャップフィラー局を採用した再生中継型のシステムが提唱されている。
【００１３】
図５において、再生中継型のギャップフィラーシステムは、放送送信局１０においてＴＤＭ（Ｔｉｍｅ  Ｄｉｖｉｓｉｏｎ  Ｍｕｌｔｉｐｌｅｘｅｒ）信号形式で多重した信号を通信衛星２０を経由してギャップフィラー局３１（ビル４５の屋上に設置）に送り、ギャップフィラー局３１では、ＴＤＭ信号を受信して複数ベースバンドデータまで復調し、その後に、ＣＤＭ変調器により、２．６ＧＨｚ帯のＣＤＭ信号形式に再変換して送信することで、通信衛星２０からの受信信号のＣ／Ｎ量の影響を排除し、放送受信装置５０（車両６０に搭載）への送信信号の質を高めるものである。
【００１４】
図６は、従来の再生中継型ギャップフィラー局３１の概略構成を示す図であり、通信衛星２０から送られるＴＤＭ信号を復調するＴＤＭ復調部３１１と、復調された信号からＣＤＭ変調によりＣＤＭ信号（放送受信装置５０に送信する信号）を生成するＣＤＭ変調部３１２を具備して構成される。
【００１５】
しかしながら、この再生中継型のギャップフィラー局３１を用いた場合でも、信号の連続性を維持するためには当該ギャップフィラー局３１では通信衛星２０からの受信信号（再生クロック）を使ってギャップフィラーの送信信号（ＣＤＭ信号）を作成する必要がある。
【００１６】
この場合、通信衛星２０のドップラーにより生じるクロックの揺らぎや周波数ずれが生じ、これらの要因が送信信号の質の低下に反映されることになり、上述した改善策（ＴＤＭ信号を再生し、ＣＤＭ信号から成る送信信号を生成して中継する）のみでは送信信号の質向上に限界があった。
【００１７】
なお、下記特許文献３には、再生中継方式のギャップフィラー局（第２の再送信装置ＧＦｂ：図１，図４参照）を用いた放送システムが開示されているが、この特許文献３におけるギャップフィラー局においても、通信衛星のドップラーにより生じるクロックの揺らぎや周波数ずれに対する送信信号の質改善策は何等講じられていなかった。
【００１８】
【特許文献１】
特開２００１−２３０７１７号公報
【特許文献２】
特開平１１−２６１９９９号公報
【特許文献３】
特開２０００−２４４３８３号公報
【発明が解決しようとする課題】
上述したように、従来の衛星移動体放送システムとしては、ＴＤＭ放送信号を復調、再生した信号を基にＣＤＭ放送信号を生成して地上の放送受信装置に配信する再生中継方式のギャップフィラー局（地上中継装置）を用いたシステムがあったが、該システムにおいても、通信衛星のドップラーにより生じるクロックの揺らぎや周波数ずれ等、通信衛星からの受信信号の劣化要因を排除して送信信号の質改善を図るための有効な手立てが講じられておらず、地上中継装置と放送受信装置間の回線品質低下に伴ない放送受信装置での受信精度が低下するという問題点があった。
【００１９】
本発明は上記問題点を解消し、再生中継型の地上中継装置での再生中継時、通信衛星からの受信信号の劣化要因によって放送受信装置への送信信号の質が低下することを防止し、放送受信装置での受信精度向上に寄与できる衛星移動体放送システム及び該システムに用いる地上中継装置を提供することを目的とする。
【００２０】
【課題を解決するための手段】
上記目的を達成するために、請求項１記載の発明は、放送送信局から送信される放送番組情報を通信衛星を介して受信再生し、該再生信号から新たに送信信号を生成して地上を移動可能な放送受信装置に配信する再生中継型の地上中継装置を有する衛星移動体放送システムにおいて、前記地上中継装置は、前記再生信号を記憶する記憶手段と、ＧＰＳ情報を受信するＧＰＳ受信手段と、前記記憶手段に記憶された前記再生信号から前記送信信号を生成する処理を前記ＧＰＳ情報を用いて行なうように制御する制御手段とを具備することを特徴とする。
【００２１】
請求項２記載の発明は、上記請求項１記載の発明において、前記地上中継装置は、前記ＧＰＳ受信手段により受信されたＧＰＳ情報からクロック信号を抽出するクロック抽出手段を具備し、前記制御手段は、前記クロック抽出手段により抽出されたクロック信号を用いて前記記憶手段から前記再生信号を読み出し、該再生信号から前記送信信号を生成する制御を行なうことを特徴とする。
【００２２】
請求項３記載の発明は、上記請求項１記載の発明において、前記地上中継装置は、前記ＧＰＳ受信手段により受信されたＧＰＳ情報からクロック信号を抽出するクロック抽出手段と、前記ＧＰＳ受信手段により受信されたＧＰＳ情報からキャリア信号を抽出するキャリア抽出手段とを具備し、前記制御手段は、前記クロック抽出手段により抽出されたクロック信号を用いて前記記憶手段から前記再生信号を読み出し、該再生信号から前記キャリア抽出手段により抽出されたキャリア信号を用いて前記送信信号を生成する制御を行なうことを特徴とする。
【００２３】
請求項４記載の発明は、放送送信局、通信衛星、及び地上を移動可能な放送受信装置と共に衛星移動体放送システムを構成し、前記放送送信局から送信される放送番組情報を前記通信衛星経由で受信して再生し、該再生信号から新たに送信信号を生成して前記放送受信装置に配信する再生中継型の地上中継装置において、前記再生信号を記憶する記憶手段と、ＧＰＳ情報を受信するＧＰＳ受信手段と、前記記憶手段に記憶された前記再生信号から前記送信信号を生成する処理を前記ＧＰＳ情報を用いて行なうように制御する制御手段とを具備することを特徴とする。
【００２４】
請求項５記載の発明は、上記請求項４記載の発明において、前記ＧＰＳ受信手段により受信されたＧＰＳ情報からクロック信号を抽出するクロック抽出手段を具備し、前記制御手段は、前記クロック抽出手段により抽出されたクロック信号を用いて前記記憶手段から前記再生信号を読み出し、該再生信号から前記送信信号を生成する制御を行なうことを特徴とする。
【００２５】
請求項６記載の発明は、上記請求項４記載の発明において、前記ＧＰＳ受信手段により受信されたＧＰＳ情報からクロック信号を抽出するクロック抽出手段と、前記ＧＰＳ受信手段により受信されたＧＰＳ情報からキャリア信号を抽出するキャリア抽出手段とを具備し、前記制御手段は、前記クロック抽出手段により抽出されたクロック信号を用いて前記記憶手段から前記再生信号を読み出し、該再生信号から前記キャリア抽出手段により抽出されたキャリア信号を用いて前記送信信号を生成する制御を行なうことを特徴とする。
【００２６】
【発明の実施の形態】
以下、本発明の実施形態について添付図面を参照して詳細に説明する。
【００２７】
図１は、本発明に係わるギャップフィラー機能を備えた衛星移動体放送システムの全体構成を示す概念図である。
【００２８】
この衛星移動体放送システムは、放送送信局１０、通信衛星２０、再生中継型のギャップフィラー局（地上中継装置）３０、放送受信装置５０から構成される。
【００２９】
図１の例では、ギャップフィラー局３０は２局（３０−１，３０−２）だけ示されており、各ギャップフィラー局３０−１、３０−２はそれぞれビル４５−１，４５−２の屋上に設置されている。
【００３０】
実際のシステムにおいて、ギャップフィラー局３０は、放送サービス提供エリアを網羅すべく全国各地に多数分散配置される。
【００３１】
また、図１の例において、放送受信装置５０は２台（５０−１，５０−２）だけ示されており、各放送受信装置５０−１，５０−２は、それぞれ、車両６０−１，６０−２に搭載されている。これら放送受信装置５０−１，５−２としては、例えば、カーナビゲーション装置を想定している。
【００３２】
なお、放送受信装置５０としては、ギャップフィラー局３０から配信される後述する送信信号の受信機能を持つ装置であれば、上述したカーナビゲーション装置に限らず、車両６０に搭載して移動可能な他の装置や、人が携帯して移動できる装置も使用できる。
【００３３】
実際のシステムでは、より多数の放送受信装置５０が存在し、これら各放送受信装置５０は上述した放送サービス提供エリア内を移動する際に、ギャップフィラー局３０からの送信信号を受信できることになる。
【００３４】
放送送信局１０は、各放送事業者より提供される複数チャネル分の放送番組を、Ｋｕ帯（１４ＧＨｚ）の上り伝送路を介して通信衛星２０に送信する。この場合、放送送信局１０は、上記放送番組情報をＴＤＭ方式で多重化し、ＴＤＭ放送信号（図１におけるＴＤＭ波）として通信衛星２０に送信する。
【００３５】
通信衛星２０は、放送送信局１０から送信されたＴＤＭ放送信号をＫｕ帯（１２ＧＨｚ）の信号に周波数変換し、この変換された１２ＧＨｚ帯のＴＤＭ放送信号を下り伝送路を介して地上の放送サービス提供エリア向けに送信する。
【００３６】
放送サービス提供エリア内には、複数のギャップフィラー局３０が設置される。各ギャップフィラー局３０は、それぞれ自局からの電波（送信信号）が届く範囲の放送エリアを管轄し、これら各ギャップフィラー局３０の放送エリアの集まりによって上記放送サービス提供エリアが網羅される。
【００３７】
各ギャップフィラー局３０は、例えば、ビルの屋上等、通信衛星２０から見通しの利く場所にそれぞれ設置される。
【００３８】
各ギャップフィラー局３０は、通信衛星２０からＫｕ帯（１２ＧＨｚ）の下り伝送路を介して到来したＴＤＭ放送信号を受信復調して各チャネルの放送番組情報を一旦再生した後、この再生信号（各チャネルの放送番組情報）をＣＤＭ変調して２．５ＧＨｚ帯の送信信号（ＣＤＭ信号：図１におけるＣＤＭ波）を生成し、該送信信号を自局が管轄する放送エリアに向けて送信する。
【００３９】
各ギャップフィラー局３０が管轄する放送エリア内では、放送受信装置５０を搭載した車両６０が通行する。
【００４０】
この車両６０に搭載されて地上を移動可能な放送受信装置５０は、当該放送エリアを管轄するギャップフィラー局３０から送信された送信信号（ＣＤＭ信号）を受信復調して放送番組情報を再生し、該放送番組情報（画像情報）を表示したり、該情報に対応する音声再生したりする。
【００４１】
放送受信装置５０は、例えば、図２に示すように、アンテナ５１、ＣＤＭ復調部５２、表示部５３、スピーカ５４、操作部５５、制御部５６から構成される。
【００４２】
かかる構成の放送受信装置５０において、アンテナ５１は、当該車両６０が通行する放送エリアを管轄するギャップフィラー局３０から送信された送信信号（ＣＤＭ信号）を受信し、ＣＤＭ復調部５２に入力する。
【００４３】
ＣＤＭ復調部５２は、受信されたＣＤＭ信号を復調して各チャネル分の放送番組情報を再生する。
【００４４】
表示部５３は、再生された放送番組情報（画像情報）のうちから、操作部５５により選択されたチャネルに対応する放送番組情報を表示する。
【００４５】
スピーカ５４は、表示部５３に表示された放送番組情報に対応する音声情報を再生出力する。
【００４６】
制御部５６は、上述した送信信号の受信復調制御や再生された放送番組情報（画像情報）の表示並びに音声再生等、当該放送受信装置５０での受信動作全体の制御を行なう。
【００４７】
このように、本発明に係わる衛星移動体放送システムは、放送送信局１０から送信される放送番組情報を通信衛星２０を介してギャップフィラー局３０に送信し、更にギャップフィラー局３０から地上を移動可能な放送受信装置５０に配信することで通信衛星２０からの放送番組情報を直接受信できない不感エリアを解消するギャップフィラー技術を採用したシステムであって、特に、ギャップフィラー局３０として、放送送信局１０から通信衛星２０を介して受信した放送番組情報を一旦再生した後、該再生信号から新たに送信信号を生成して放送受信装置５０に配信する再生中継型ギャップフィラー局を備えるシステムである。
【００４８】
次に、本発明のシステムに採用されるギャップフィラー局３０（後述するギャップフィラー局３０Ａ，３０Ｂのいずれかを用いることができる）についてより詳しく説明する。
【００４９】
図３は、本発明の第１の実施例に係わるギャップフィラー局３０Ａの構成を示すブロック図である。
【００５０】
図３に示すように、このギャップフィラー局３０Ａは、通信衛星２０から中継送信されるＴＤＭ放送信号を受信する受信アンテナ３１、受信アンテナ３１により受信されたＴＤＭ放送信号信号を復調し、放送番組情報を再生するＴＤＭ復調部３２、ＴＤＭ復調部３２と後述するＣＤＭ変調部３４の間に設けられ、ＴＤＭ復調部３２により再生された再生データ（放送番組情報）を記憶するバッファ３３、バッファ３３から読み出される再生データ（放送番組情報）をＣＤＭ変調することにより放送受信装置５０に送信する送信信号（ＣＤＭ信号）を生成するＣＤＭ変調部３４、ＣＤＭ変調部３４により生成された送信信号（ＣＤＭ信号）を放送受信装置５０に送信する送信アンテナ３５、ＧＰＳ（Ｇｌｏｂａｌ  Ｐｏｓｉｔｉｏｎｉｎｇ  Ｓｙｓｔｅｍ）衛星７０（図１参照）から送信されるＧＰＳ情報を受信するＧＰＳアンテナ３６、ＧＰＳアンテナ３６により受信されたＧＰＳ情報の受信処理を行なうＧＰＳ受信機３７、ＧＰＳ受信機３７で受信処理されたＧＰＳ情報からクロック信号を抽出するクロック抽出部３８、装置全体の制御を行なう制御部４０を具備して構成される。
【００５１】
次に、このギャップフィラー局３０Ａの再生中継動作について説明する。
【００５２】
このギャップフィラー局３０Ａでは、放送送信局１０から送信され、通信衛星２０を経由して中継送信されるＴＤＭ放送信号を受信アンテナ３１で受信し、ＴＤＭ復調部３２に取り込む。
【００５３】
ＴＤＭ復調部３２では、通信衛星２０からの受信信号（上記ＴＤＭ放送信号）を復調して各チャネル分の放送番組情報を再生し、この再生データ（放送番組情報）を書込みクロックを用いてバッファ３３に書込む（記憶する）。
【００５４】
その際、制御部４０は、書込みクロックとして、ＴＤＭ復調部３２が通信衛星２０からの受信信号から再生した受信再生クロックを用いて上記再生データをバッファ３３に書き込むように制御する。
【００５５】
バッファ３３に書込まれた再生データは、その後、読出クロックにより読み出されてＣＤＭ変調部３４に送られる。
【００５６】
ＣＤＭ変調部３４は、このバッファ３３から読み出された再生データから、放送受信装置５０に送信する送信信号を生成する。
【００５７】
この間、ＧＰＳ受信機３７はＧＰＳアンテナ３６を通じてＧＰＳ情報を受信している。
【００５８】
そして、クロック抽出部３８は、制御部４０の制御の下に、ＧＰＳ受信機３７で受信されたＧＰＳ情報からクロック信号を抽出し、このＧＰＳ情報から抽出したクロック信号を上記読出クロックとしてバッファ３３及びＣＤＭ変調部３４に供給する。
【００５９】
つまり、第１の実施例において、制御部４０は、クロック抽出部３８によりＧＰＳ情報から抽出された高安定なクロック信号を用いてバッファ３３から再生データを読み出してＣＤＭ変調部３４に送り、該ＣＤＭ変調部３４で上記再生データから送信信号を生成するように制御する。
【００６０】
ＣＤＭ変調部３４で生成された送信信号は、送信アンテナ３５から放送受信装置５０に向けて送信される。
【００６１】
放送受信装置５０は、上述したように、ギャップフィラー局３０から送信された送信信号（ＣＤＭ信号）をアンテナ５１により受信し、ＣＤＭ復調部５２で受信復調して各チャネルの放送番組情報を再生し、その中の、操作部５５により選択されたチャネルに対応する放送番組情報（画像情報）を表示部５３に表示し、かつ対応する音声情報をスピーカ５４から再生出力する受信動作を行なう。
【００６２】
このように、第１の実施例に係わるギャップフィラー局３０Ａでは、通信衛星２０から受信した放送番組情報を再生した再生データを記憶するバッファ３３と、ＧＰＳ情報を受信するＧＰＳ受信機３７を設け、バッファ３３に記憶された再生データから放送受信装置５０への送信信号を生成する処理をＧＰＳ情報を用いて行なうようにしている。
【００６３】
具体的には、ＧＰＳ受信機が受信したＧＰＳ情報からクロック抽出部３８でクロック信号を抽出し、制御部４０では、クロック抽出部３８により抽出されたクロック信号を用いてバッファ３３から再生データを読み出してＣＤＭ変調部３４に送り、該ＣＤＭ変調部３４で上記再生データから送信信号を生成するように制御している。
【００６４】
このギャップフィラー局３０Ａの構成によれば、通信衛星２０からの受信信号（ＴＤＭ信号）と放送受信装置５０への送信信号（ＣＤＭ信号）をバッファ３３を挟んで分離し、受信信号の劣化要因、つまり通信衛星２０のドップラーによるクロックの揺らぎが送信信号にまで及ばないようにしてＧＰＳ情報から抽出した高安定なクロックによる高品質の送信信号を生成することができ、該送信信号を受信する放送受信装置５０での受信精度を大幅に向上させることができる。
【００６５】
図４は、本発明の第２の実施例に係わるギャップフィラー局３０Ｂの構成を示すブロック図である。
【００６６】
このギャップフィラー局３０Ｂにおいて、第１の実施例に係わるギャップフィラー局３０Ａの各部と同様の機能を果たす部分には同一の符号を付している。
【００６７】
このギャップフィラー局３０Ｂでは、キャップフィラー局３０Ａの構成に対して、ＧＰＳ受信機３７が受信したＧＰＳ情報からキャリア信号を抽出するキャリア抽出部３９を追加したものである。
【００６８】
次に、このギャップフィラー局３０Ｂの再生中継動作について説明する。
【００６９】
このギャップフィラー局３０Ａでは、放送送信局１０から送信され、通信衛星２０を経由して中継送信されるＴＤＭ放送信号を受信アンテナ３１で受信し、ＴＤＭ復調部３２に取り込む。
【００７０】
ＴＤＭ復調部３２では、通信衛星２０からの受信信号（上記ＴＤＭ放送信号）を復調して各チャネル分の放送番組情報を再生し、この再生データ（放送番組情報）を書込みクロックを用いてバッファ３３に書込む（記憶する）。
【００７１】
その際、制御部４０は、書込みクロックとして、ＴＤＭ復調部３２が通信衛星２０からの受信信号から再生した受信再生クロックを用いて上記再生データをバッファ３３に書き込むように制御する。
【００７２】
バッファ３３に書込まれた再生データは、その後、読出クロックにより読み出されてＣＤＭ変調部３４に送られる。
【００７３】
ＣＤＭ変調部３４は、このバッファ３３から読み出された再生データから、放送受信装置５０に送信する送信信号を生成する。
【００７４】
この間、ＧＰＳ受信機３７はＧＰＳアンテナ３６を通じてＧＰＳ情報を受信している。
【００７５】
そして、クロック抽出部３８は、制御部４０の制御の下に、ＧＰＳ受信機３７で受信されたＧＰＳ情報からクロック信号を抽出し、このＧＰＳ情報から抽出したクロック信号を上記読出クロックとしてバッファ３３及びＣＤＭ変調部３４に供給する。
【００７６】
また、キャリア抽出部３９は、制御部４０の制御の下に、ＧＰＳ受信機３７で受信されたＧＰＳ情報からキャリア信号を抽出し、このＧＰＳ情報から抽出したキャリア信号をＣＤＭ変調部３４に供給する。
【００７７】
ＣＤＭ変調部３４は、上述した送信信号生成処理に際し、クロック抽出部３８から与えられるクロック信号（ＧＰＳ情報から抽出されたクロック信号）によりバッファ３３から読み出された再生データと、キャリア抽出部３０から供給されるキャリア信号（ＧＰＳ情報から抽出されたキャリア信号）を用いて上記送信信号を生成する。
【００７８】
つまり、第２の実施例において、制御部４０は、クロック抽出部３８によりＧＰＳ情報から抽出された高安定なクロック信号を用いてバッファ３３から再生データを読み出してＣＤＭ変調部３４に送り、該ＣＤＭ変調部３４で上記再生データから、キャリア抽出部３９によりＧＰＳ情報から抽出されたキャリアを用いて送信信号を生成するように制御する。
【００７９】
ＣＤＭ変調部３４で生成された送信信号は、送信アンテナ３５から放送受信装置５０に向けて送信される。
【００８０】
このように、第２の実施例に係わるギャップフィラー局３０Ｂにおいても、通信衛星２０から受信した放送番組情報を再生した再生データを記憶するバッファ３３と、ＧＰＳ情報を受信するＧＰＳ受信機３７を設け、バッファ３３に記憶された再生データから放送受信装置５０への送信信号を生成する処理をＧＰＳ情報を用いて行なうようにしている。
【００８１】
具体的には、ＧＰＳ受信機３７が受信したＧＰＳ情報からクロック抽出部３８でクロック信号を抽出すると共に、該ＧＰＳ情報からキャリア抽出部３０でキャリア信号を抽出し、制御部４０では、クロック抽出部３８によりＧＰＳ情報から抽出された高安定なクロック信号を用いてバッファ３３から再生データを読み出してＣＤＭ変調部３４に送り、該ＣＤＭ変調部３４で、上記再生データから、キャリア抽出部３９によりＧＰＳ情報から抽出されたキャリアを用いて送信信号を生成するように制御している。
【００８２】
このギャップフィラー局３０Ｂの構成によれば、通信衛星２０からの受信信号（ＴＤＭ信号）と放送受信装置５０への送信信号（ＣＤＭ信号）をバッファ３３を挟んで分離し、受信信号のＣ／Ｎ、クロックのジッタ等の劣化要因が送信信号にまで及ばないようにして、送信信号源のみに起因する特性を得ることができる。
【００８３】
特に、本実施例では、送信信号源として、ＧＰＳ情報から抽出した高安定なキャリア信号を用いているため、受信信号のＣ／Ｎ、周波数ずれ、クロックのジッタ等の劣化要因がある場合でも、これら劣化要因をバッファ３３により吸収して送信信号の位相雑音、ジッタ等の特性改善を図ることができる。これによって、ギャップフィラー局３０Ｂと放送受信装置５０間の回線品質を高めることができ、放送受信装置５０側におけるギャップフィラー局３０Ｂからの送信信号の受信精度向上に寄与できる。
【００８４】
【発明の効果】
以上説明したように、本発明によれば、再生中継型の地上中継装置に、通信衛星から受信した放送番組情報を再生した再生信号を記憶する記憶手段と、ＧＰＳ情報を受信するＧＰＳ受信手段とを設け、記憶手段に記憶された再生信号から送信信号を生成する処理をＧＰＳ情報を用いて行なうようにしたため、通信衛星からの受信信号と放送受信装置への送信信号を上記記憶手段を挟んで分離し、受信信号のＣ／Ｎ、クロックのジッタ等の劣化要因が送信信号にまで及ばないようにして当該送信信号の位相雑音、ジッタ等の特性改善を図ることができ、該送信信号を受信する放送受信装置での受信精度を大幅に向上させることができる。
【図面の簡単な説明】
【図１】本発明に係わる衛星移動体放送システムの全体構成を示す概念図。
【図２】図１における放送受信装置の構成を示すブロック図。
【図３】第１の実施例に係わるギャップフィラー局の構成を示すブロック図。
【図４】第２の実施例に係わるギャップフィラー局の構成を示すブロック図。
【図５】再生中継型ギャップフィラー局を用いる従来の放送システムの構成を示す図。
【図６】従来の再生中継型ギャップフィラー局の概略構成を示す図。
【符号の説明】
１０  放送送信局
２０  通信衛星
３０，３０Ａ，３０Ｂ，３０−１，３０−２  ギャップフィラー局
３１  受信アンテナ
３２  ＴＤＭ変調部
３３  バッファ
３４  ＣＤＭ変調部
３５  送信アンテナ
３６  ＧＰＳアンテナ
３７  ＧＰＳ受信機
３８  クロック抽出部
３９  キャリア抽出部
４０  制御部
４５−１，４５−２  ビル
５０，５０−１，５０−２  放送受信装置
５１  アンテナ
５２  ＣＤＭ復調部
５３  表示部
５４  スピーカ
５５  操作部
５６  制御部
６０，６０−１，６０−２  車両
７０  ＧＰＳ（Ｇｌｏｂａｌ  Ｐｏｓｉｔｉｏｎｉｎｇ  Ｓｙｓｔｅｍ）衛星
【図１】
2004312349.tif 000003
【図２】
2004312349.tif 000004
【図３】
2004312349.tif 000005
【図４】
2004312349.tif 000006
【図５】
2004312349.tif 000007
【図６】
2004312349.tif 000008